(57)【要約】【課題】ガラス、金属、プラスチックス、塗膜等といった表面や人体を安全にかつ拭き残りなく清浄にすることが出来る湿潤ワイパーを提供する。【解決方法】公定水分率が０〜１３％の繊維を１質量％以上含む繊維シートに、食品及び／又は食品添加物及び／又は口腔化粧品材料を含有する組成液を含浸させてなる湿潤性ワイパー。【選択図】　選択図なし【特許請求の範囲】
【請求項１】
公定水分率が０〜１３％の繊維を１質量％以上含む繊維シートに、食品及び／又は食品添加物及び／又は口腔化粧品材料を含有する組成液を含浸させてなる湿潤性ワイパー。
【請求項２】
繊維シートが少なくとも合成繊維を１質量％以上含有する請求項１に記載の湿潤性ワイパー。
【請求項３】
繊維シートが合成繊維からなる請求項１に記載の湿潤性ワイパー。
【請求項４】
少なくとも水膨潤度３０％以上の繊維を１質量％以上含有する繊維シートに、食品及び／又は食品添加物及び／又は口腔化粧品材料を含有する組成液を含浸させてなる湿潤性ワイパー。
【請求項５】
繊維シートが少なくとも水膨潤度３０％以上の繊維を１質量％以上含有する請求項１に記載の湿潤性ワイパー。
【請求項６】
繊維シートが天然繊維及び／又は再生繊維からなる請求項４〜５のいずれかに記載の湿潤性ワイパー。
【請求項７】
ウェブ形成を乾式で行った不織布からなる繊維シートに、食品及び／又は食品添加物及び／又は口腔化粧品材料を含有する組成液を含浸させてなる湿潤性ワイパー。
【請求項８】
繊維シートがウェブ形成を乾式で行った不織布である請求項１〜６のいずれかに記載の湿潤性ワイパー。
【請求項９】
ウェブ形成後、機械的絡合によって接着を行った不織布からなる繊維シートに、食品及び／又は食品添加物及び／又は口腔化粧品材料を含有する組成液を含浸させてなる湿潤性ワイパー。
【請求項１０】
繊維シートがウェブ形成後、機械的絡合によって接着を行った不織布である請求項１〜８のいずれかに記載の湿潤性ワイパー。
【請求項１１】
平均繊維径１０μｍ以下の繊維を１質量％以上含む不織布からなる繊維シートに、食品及び／又は食品添加物及び／又は口腔化粧品材料を含有する組成液を含浸させてなる湿潤性ワイパー。
【請求項１２】
繊維シートが平均繊維径１０μｍ以下の繊維を１質量％以上含む不織布である請求項１〜１０のいずれかに記載の湿潤性ワイパー。
【請求項１３】
さらに殺菌剤を含有する請求項１〜１２のいずれかに記載の湿潤性ワイパー。
【請求項１４】
さらに防カビ剤を含有する請求項１〜１３のいずれかに記載の湿潤性ワイパー。
【請求項１５】
組成液が、引火点を持たないことを特徴とする請求項１〜１４のいずれかに記載の湿潤性ワイパー。
【請求項１６】
組成液に含有される水が塩素剤によって殺菌されたものである請求項１〜１５のいずれかに記載の湿潤性ワイパー。
【請求項１７】
組成液に含有される水が濾過によって除菌されたものである請求項１〜１５のいずれかに記載の湿潤性ワイパー。
【請求項１８】
組成液に含有される水が蒸留によって除菌されたものである請求項１〜１５のいずれかに記載の湿潤性ワイパー。
【請求項１９】
組成液中の微生物数が１ミリリットルあたり１０００個以下である請求項１〜１８のいずれかに記載の湿潤性ワイパー。
【請求項２０】
食品及び／又は食品添加物及び／又は口腔化粧品材料を含有し、請求項１〜１９のいずれかに記載の繊維シートに含浸される、湿潤性ワイパー用組成液。
【発明の詳細な説明】
【０００１】
【発明の属する技術分野】
本発明は、各種表面を清浄化し、あるいは、殺菌、除菌、帯電防止、防曇、防汚等の機能を被洗物に付与する湿潤性ワイパーに関する。
【０００２】
【従来の技術】
平滑な表面を有するガラス、金属、プラスチックス、塗膜等といった表面や人体表面等の清浄化に、各種湿潤性ワイパー（ウエットワイパー、ウエットティッシュなどとも呼ばれる）が知られている。これ等湿潤性ワイパーは、用途に応じて選定された清浄剤等からなる配合成分を媒体に溶解または分散することにより調製した薬液組成物を紙や布等の基材に含浸させたものである。湿潤性ワイパーは使用時まで薬液組成物により湿潤状態にあるもので、媒体を乾燥除去した乾燥ワイパー（ドライワイパー）と区別される。湿潤性ワイパーは、使用に際しては、拭くだけで薬液と基材の作用により清浄、殺菌、除菌、帯電防止、防曇、防汚等の目的が達せられ、クリーニング操作等が非常に簡便に行えるのがその特徴である。
【０００３】
このように湿潤性ワイパーを用いることで作業の簡便化が達せられるが、一方において、湿潤性ワイパーで拭いたあとの表面に、ワイパーから移行した薬液組成物が残留するため、安全性についての細心の注意が必要である。特に台所廻りや食品に触れる可能性のある器物を対象とするワイパーの場合、被洗物が直接食品と接触する可能性があるため、人体に対して安全性が高いことが好ましい。また、人体を対象とするワイパーの場合も安全性が高い必要がある。
【０００４】
特開２０００−１０２４９２号公報にはゴミのリサイクルに供することができる生分解性の繊維シートに安全性が高い組成液を含浸させた繊維シートが開示されているが、生分解性の繊維シートを用いているため、組成液含浸時の繊維シートがカビやすく、また湿潤時の繊維シートの強度が低い問題点があった。
この様にこれまでの湿潤性ワイパーに関する技術では、高い安全性と優れた洗浄性を有し、かつカビ等も生え難いものは存在しなかった。
【０００５】
【特許文献１】
特開２０００−１０２４９２号公報
【０００６】
【発明が解決しようとする課題】
ガラス、金属、プラスチックス、塗膜等といった表面や人体表面を安全にかつ簡便に清浄にすることが出来る湿潤ワイパーを提供する。
【０００７】
【課題を解決するための手段】
本発明者は、組成液（湿潤液）を含浸させた湿潤性ワイパーについて、上記課題を解決するために鋭意研究を重ねた結果、安全性の高い組成液を特定の繊維シートに含浸させた湿潤性ワイパーが驚くべき性能を発揮することを見出し、本発明を完成するに至った。
【０００８】
すなわち本発明は以下のとおりである。
発明の第１は、公定水分率が０〜１３％の繊維を１質量％以上含む繊維シートに、食品及び／又は食品添加物及び／又は口腔化粧品材料を含有する組成液を含浸させてなる、湿潤性ワイパーである。
発明の第２は、繊維シートが少なくとも合成繊維を１質量％以上含有する発明の第１に記載の湿潤性ワイパーである。
発明の第３は、繊維シートが合成繊維からなる発明の第１に記載の湿潤性ワイパーである。
発明の第４は、少なくとも水膨潤度３０％以上の繊維を１質量％以上含有する繊維シートに、食品及び／又は食品添加物及び／又は口腔化粧品材料を含有する組成液を含浸させてなる、湿潤性ワイパーである。
発明の第５は、繊維シートが少なくとも水膨潤度３０％以上の繊維を１質量％以上含有する発明の第１に記載の湿潤性ワイパーである。
【０００９】
発明の第６は、繊維シートが天然繊維及び／又は再生繊維からなる発明の第４に記載の湿潤性ワイパーである。
発明の第７は、ウェブ形成を乾式で行った不織布からなる繊維シートに、食品及び／又は食品添加物及び／又は口腔化粧品材料を含有する、組成液を含浸させてなる湿潤性ワイパーである。
発明の第８は、繊維シートがウェブ形成を乾式で行った不織布である、発明の第１〜６のいずれかに記載の湿潤性ワイパーである。
発明の第９は、ウェブ形成後、機械的絡合によって接着を行った不織布からなる繊維シートに、食品及び／又は食品添加物及び／又は口腔化粧品材料を含有する組成液を含浸させてなる、湿潤性ワイパーである。
【００１０】
発明の第１０は、繊維シートがウェブ形成後、機械的絡合によって接着を行った不織布である、発明の第１〜８のいずれかに記載の湿潤性ワイパーである。
発明の第１１は、平均繊維径１０μｍ以下の繊維を１質量％以上含む不織布からなる繊維シートに、食品及び／又は食品添加物及び／又は口腔化粧品材料を含有する組成液を含浸させてなる、湿潤性ワイパーである。
発明の第１２は、繊維シートが平均繊維径１０μｍ以下の繊維を１質量％以上含む不織布である、発明の第１〜１０のいずれかに記載の湿潤性ワイパーである。
発明の第１３は、さらに殺菌剤を含有する発明の第１〜１２のいずれかに記載の湿潤性ワイパーである。
発明の第１４は、さらに防カビ剤を含有する発明の第１〜１３のいずれかに記載の湿潤性ワイパーである。
【００１１】
発明の第１５は、組成液が、引火点を持たないことを特徴とする発明の１〜１４のいずれかに記載の湿潤性ワイパーである。
発明の第１６は、組成液に含有される水が塩素剤によって殺菌されたものである発明の第１〜１５のいずれかに記載の湿潤性ワイパーである。
発明の第１７は、組成液に含有される水が濾過によって除菌されたものである発明の第１〜１５のいずれかに記載の湿潤性ワイパーである。
発明の第１８は、組成液に含有される水が蒸留によって除菌されたものである発明の第１〜１５のいずれかに記載の湿潤性ワイパーである。
【００１２】
発明の第１９は、組成液中の微生物数が１ミリリットルあたり１０００個以下である発明の第１〜１８のいずれかに記載の湿潤性ワイパーである。
発明の第２０は、食品及び／又は食品添加物及び／又は口腔化粧品材料を含有し、発明の第１〜１９のいずれかに記載の繊維シートに含浸される、湿潤性ワイパー用組成液である。
【００１３】
【発明の実施の形態】
以下、本願発明について、特にその好ましい実施態様を中心に、詳細に説明する。
本発明の湿潤性ワイパーで使用される繊維シートには、食品及び／又は食品添加物及び／又は口腔化粧品材料を含有する組成液を含浸させる。組成液とは、繊維シートの汚れの拭き取り効果を高めるために用いられるものであるが、その他にも薬剤を添加することで除菌効果、帯電防止効果、防曇効果、防汚効果等の機能を付与することも可能である。組成液に用いられる食品とは、一般に食されて人体にとって悪い影響を与えないものである。食品添加物とは、食品添加物公定書にその化学名あるいは一般名が記載されているものである。また、口腔化粧品材料とは、化粧品種別許可基準の口腔化粧品の種別として認められている成分であり、口腔内の清浄、口臭の防止等の目的で使用される化粧品材料をいう。
【００１４】
組成液に用いられる食品、食品添加物または口腔化粧品材料としては、油性原料、界面活性剤、殺菌剤、防カビ剤、増粘剤、湿潤剤等を挙げることができる。
例えば油性原料としては、オリーブ油等の油脂類、ミツロウ等のロウ類、スクワラン等の炭化水素類、ヤシ油脂肪酸等の高級脂肪酸類、ミリスチン酸セチル等のエステル類、メチルポリシロキサン等のシリコーン油類等を挙げることができる。
【００１５】
また、界面活性剤としては、グリセリン脂肪酸エステル、親油型モノステアリン酸グリセリン等のグリセリン脂肪酸エステル類、モノオレイン酸ポリグリセリル、ペンタオレイン酸ポリグリセリル、デカオレイン酸ポリグリセリル等のポリグリセリン脂肪酸エステル類、モノステアリン酸ポリオキシエチレングリセリン等のポリオキシエチレングリセリン脂肪酸エステル類、モノラウリン酸ソルビタン、モノオレイン酸ソルビタン、トリオレイン酸ソルビタン等のソルビタン脂肪酸エステル類、モノステアリン酸ポリオキシエチレンソルビタン、トリオレイン酸ポリオキシエチレンソルビタン等のポリオキシエチレンソルビタン脂肪酸エステル類、モノラウリン酸ポリオキシエチレンソルビット、テトラオレイン酸ポリオキシエチレンソルビット等のポリオキシエチレンソルビット脂肪酸エステル類、ポリオキシエチレンラノリン、ポリオキシエチレンソルビットミツロウ等のポリオキシエチレンラノリン・ラノリンアルコール・ミツロウ誘導体、ポリオキシエチレンヒマシ油、ポリオキシエチレン硬化ヒマシ油等のポリオキシエチレンヒマシ油・硬化ヒマシ油類、ポリオキシエチレンコレスタノールエーテル等のポリオキシエチレンステロール・水素添加ステロール類、モノステアリン酸エチレングリコール、モノオレイン酸ポリエチレングリコール等のポリエチレングリコール脂肪酸エステル類、ポリオキシエチレンラウリルエーテル、ポリオキシエチレンセチルエーテル、ポリオキシエチレンベヘニルエーテル等のポリオキシエチレンアルキルエーテル類、ポリオキシエチレンポリオキシプロピレンセチルエーテル、ポリオキシエチレンポリオキシプロピレンデシルテトラデシルエーテル等のポリオキシエチレンポリオキシプロピレンアルキルエーテル類、ポリオキシエチレンノニルフェニルエーテル等のポリオキシエチレンアルキルフェニルエーテル類、ポリオキシエチレンステアリン酸アミド等のポリオキシエチレンアルキルアミン・脂肪酸アミド類、ポリオキシエチレンラウリルエーテルリン酸ナトリウム、ポリオキシエチレンセチルエーテルリン酸ナトリウム等のポリオキシエチレンアルキルエーテルリン酸・リン酸塩類、Ｎ−ラウロイル−Ｌ−グルタミン酸ナトリウム等のＮ−アシルアミノ塩酸類、ポリオキシエチレンラウリルエーテルリン酸等のポリオキシエチレンアルキルエーテルリン酸塩類、ラウロイルメチルタウリンナトリウム、ミリストイルメチルタウリンナトリウム等のＮ−アシルタウリン塩類、テトラデセンスルホン酸ナトリウム等のスルホン酸塩類、ラウリル硫酸ナトリウム等のアルキル硫酸塩類、ポリオキシエチレンラウリルエーテル硫酸ナトリウム等のポリオキシエチレンアルキルエーテル硫酸塩類、ラウリルジメチルアミノ酢酸ベタイン、ヤシ油脂肪酸アミドプロピルベタイン等の酢酸ベタイン型両性界面活性剤類、２−アルキル−Ｎ−カルボキシメチル−Ｎ−ヒドロキシエチルイミダゾリニウムベタイン等のイミダゾリン型両性界面活性剤類、モノミリスチン酸デカグリセリル、ショ糖脂肪酸エステル、ラウリルジアミノエチルグリシンナトリウム、塩酸アルキルジアミノエチルグリシン、塩化ベンザルコニウム、トリメチルグリシン、レシチン等の界面活性剤を挙げることができる。これらの界面活性剤の中でも特に、ソルビタン脂肪酸エステル類、ポリオキシエチレンソルビタン脂肪酸エステル類、酢酸ベタイン型両性界面活性剤類、ショ糖脂肪酸エステル、トリメチルグリシン、ラウリルジアミノエチルグリシンナトリウム及び塩酸アルキルジアミノエチルグリシン等が好ましい。
【００１６】
また、組成液に用いられる殺菌剤の例としては、例えば、フェニルフェノール、フェニルフェノールナトリウム、プロピオン酸、安息香酸、安息香酸ナトリウム、ソルビン酸、ソルビン酸カリウム、コハク酸、過酸化水素、亜塩素酸ナトリウム、サリチル酸、サリチル酸ナトリウム、デヒドロ酢酸、デヒドロ酢酸ナトリウム、グレープフルーツエキス、塩化ベンザルコニウム、グルコン酸クロルヘキシジン、トリクロロカルバニリド、塩化セチルピリジウム、感光素２０１号、イソプロピルメチルフェノール、トリクロサン、フェノキシエタノール、フェノール、レゾルシン、クロロブタノール、β−フェニルエチルアルコール、塩化ステアリルジメチルジベンジルアンモニウム、アルミニウム・クロルヒドロキシアラントネート、セチルトリメチルアンモニウムサッカリン、ラウリルジアミノエチルグリシンナトリウム、グリシン、アラニン、セリン、トリプトファン、スレオニン、フラボノイド、芳香族アルデヒド、クマリン、リゾチーム、オボトランスフェリン、キトサン、エピガロカテキン、エピガロカテキンガレート、ワサオール、茶エキス、リンゴエキス、ペクチン分解物、プロタミン、α−ポリリジン、ε−ポリリジン等の殺菌剤を挙げることができる。これらの殺菌剤の中でも特に、フェニルフェノール、フェニルフェノールナトリウム、プロピオン酸、ソルビン酸、コハク酸、過酸化水素、亜塩素酸ナトリウム、サリチル酸、デヒドロ酢酸、グレープフルーツエキス、塩化ベンザルコニウム、グルコン酸クロルヘキシジン、塩化セチルピリジウム、トリクロサン、クロロブタノール、塩化ステアリルジメチルジベンジルアンモニウム、ラウリルジアミノエチルグリシンナトリウム、ε−ポリリジン等が好ましく、さらには、フェニルフェノール、亜塩素酸ナトリウム、サリチル酸、グレープフルーツエキス、塩化ベンザルコニウム、グルコン酸クロルヘキシジン、塩化セチルピリジウム、トリクロサン、塩化ステアリルジメチルジベンジルアンモニウム、ラウリルジアミノエチルグリシンナトリウム、ε−ポリリジン等が特に好ましい。これらの殺菌剤は、湿潤性ワイパーで拭く被洗物上の殺菌を行うものであるが、湿潤性ワイパー自体に防カビ性を付与する目的で使用することも可能である。
【００１７】
組成液に用いられる防カビ剤の例としては、ブチルパラベン、イソブチルパラベン、プロピルパラベン、イソプロピルパラベン、エチルパラベン、クエン酸、クエン酸ナトリウム、プロピオン酸ナトリウム、ヒノキチオール、酢酸、コハク酸、乳酸、リンゴ酸、酒石酸、ホウ酸、塩酸アルキルジアミノエチルグリシン、フェノキシエタノール、エタノール、トリブロムサラン等を挙げることができるが、これらの中でも特に、ブチルパラベン、イソブチルパラベン、プロピルパラベン、イソプロピルパラベン、エチルパラベン、ヒノキチオール、塩酸アルキルジアミノエチルグリシン等の防カビ剤が好ましい。これらの防カビ剤は、湿潤性ワイパーに防カビ性を付与する目的で使用されるが、湿潤性ワイパーで拭く被洗物上の殺菌を行う目的で配合することも可能である。
【００１８】
その他、組成液に用いられる食品、食品添加物または口腔化粧品材料の例としては、キサンタンガム、ゼラチン等の天然高分子、メチルセルロース、可溶性デンプン等の半合成高分子、カルボキシビニルポリマー等の合成高分子増粘剤、グリセリン、プロピレングリコール等のポリオール類、ソルビトール等の湿潤剤の他、ジステアリン酸エチレングリコール、トコフェノール類等を挙げることができる。
【００１９】
本発明の組成液では、これらの化合物の単独又は２種以上の混合物が用いられる。これらの化合物は、水溶液として又は水でエマルジョン化して用いることができる。また、エタノールのような有機溶剤を併用することもできる。
本発明の組成液は食品及び／又は食品添加物及び／又は口腔化粧品材料を含有する組成物であり、人体に対する安全性が非常に高い。
【００２０】
次に、本発明の湿潤性ワイパーで使用される繊維シートは公定水分率が０〜１３％の繊維を１質量％以上含むものである必要がある。ここでいう繊維の公定水分率とは、繊維を２０±２℃、相対湿度６５±２％の標準状態に放置し水分平衡となった時の質量（Ｗ）と、この水分平衡試料を温度１０５±２℃で乾燥した試料の絶乾質量（Ｗ’）から以下の式によって計算される水分率について、商取引の際の目安の基準として定められているものである。
水分率（％）＝（Ｗ−Ｗ’）／Ｗ’×１００
【００２１】
公定水分率が低い繊維では、繊維内部に侵入できる水分（組成液）が少なくカビにくいのに対し、公定水分率が１３％より高い繊維を用いた場合は、カビの生育に必要な水分が十分供給されるためカビやすくなる。また、公定水分率が低い繊維では、繊維内部に浸透する組成液が少なくなるため、組成液が有効に使われ、含浸させる組成液も少なくて済み、コストを低く押さえることができる。公定水分率が、０〜１３％の繊維は１質量％以上含む必要があるが、１０質量％以上含む繊維シートが好ましく、さらには５０質量％以上含む繊維シートが好ましい。
【００２２】
この様な公定水分率が０〜１３％の繊維の例としては、例えば、コットン、麻、パルプ、絹、リネン等の天然繊維、コットンリンター、ビスコースレーヨン、銅アンモニアレーヨン、溶剤紡糸レーヨン等の再生繊維、ナイロン（ポリアミド系繊維）、ポリエステル（ポリエステル系繊維）、アクリル（ポリアクリロニトリル系繊維）、ビニロン（ポリビニルアルコール系繊維）、ポリプロピレン（ポリプロピレン系繊維）、ビニリデン（ポリ塩化ビニリデン系繊維）、ポリウレタン（ポリウレタン系繊維）、ポリエチレン等の合成繊維が挙げられる。
【００２３】
これらの繊維の中でも特に、少なくとも合成繊維を１質量％以上含有することが、繊維シートが炭素源となりにくくカビにくくなるため好ましい。より好ましくは合成繊維が１０質量％以上であり、さらには５０％以上である繊維シートが好ましく用いられる。特に、繊維シートが合成繊維のみで製造されたものである場合、食品等を組成液に用いても繊維シートがカビ生育のための炭素源となりにくく特に好ましい。
さらには、これらの合成繊維の中でも、特にポリエステル、アクリル、ポリプロピレン、ポリエチレン等が湿潤性ワイパーとした時の感触が良好であり好ましい。
【００２４】
また、本発明の湿潤性ワイパーで使用される繊維シートは少なくとも水膨潤度３０％以上の繊維を１質量％以上含有することが、湿潤性ワイパーの使用時に余分な組成液が清浄対象物に拭き残りとして残りにくくなるため好ましい。繊維の水膨潤度は、繊維を２０±２℃の蒸留水中に１５分間放置した後、遠心力１０００〜１０５０Ｇで１０ｍｉｎ±１０ｓｅｃ遠心分離機で脱水した試料の質量（Ｗ）と、温度１０５±２℃で乾燥した試料の絶乾質量（Ｗ０）から以下の式によって計算される。
水膨潤度（％）＝（Ｗ−Ｗ０）／Ｗ０×１００
水膨潤度は、繊維シートによる組成液保持性の点で、３０％以上が好ましい。繊維の水膨潤度は、さらには５０％以上であることが好ましい。
この様な水膨潤度が３０％以上の繊維の例としては、例えば、コットン、麻、パルプ、絹、リネン等の天然繊維、コットンリンター、ビスコースレーヨン、銅アンモニアレーヨン、溶剤紡糸レーヨン等のおもに天然繊維を原料として人工的に手を加えて作る再生繊維を挙げることができる。これらの中でも特に、コットン、パルプ、コットンリンター、ビスコースレーヨン等が、湿潤性ワイパーとした時の感触が良好であり好ましい。
【００２５】
水膨潤度が３０％以上の繊維は１質量％以上含む必要があるが、１０質量％以上含む繊維シートが好ましく、さらには５０質量％以上含む繊維シートが好ましい。特に、繊維シートが天然繊維及び／又は再生繊維のみからなることが、湿潤性ワイパーとした時の感触が良好で拭き残りも少ないため好ましい。
さらに、本発明の湿潤性ワイパーで使用される繊維シートがウェブ形成を乾式で行った不織布であるあることが、食品及び／又は食品添加物及び／又は口腔化粧品材料を含有する組成液の液性に合わせて種々の繊維を任意に混合でき、防カビ性能を制御できるため好ましい。
【００２６】
ウェブ形成を乾式で行った不織布の例としては、例えば、乾式（カード）サーマルボンド法、乾式レジンボンド法、乾式スパンレース法、乾式ニードルパンチ法、エアレイドレジンボンド法等によって製造された不織布を挙げることができるが、これらの中でも、カード機を用いてウェブ形成を行なった不織布が好ましく、さらには乾式スパンレース法による不織布が好ましい。
また一方、湿潤性ワイパーで使用される繊維シートがウェブ形成後、機械的絡合によって接着を行った不織布であることが好ましい。機械的絡合によって接着を行った不織布は強度があるため強く拭いてもほつれたりせずリントもでない。したがって、組成液の洗浄性を低く押さえても湿潤性ワイパーとした時に十分な洗浄性が得られ、組成液の安全性とのバランスをコントロールしやすい。
【００２７】
この様なウェブ形成後、機械的絡合によって接着を行った不織布の例としては、乾式スパンレース法、乾式ニードルパンチ法、スパンボンド（メルトブローン）スパンレース法、湿式スパンボンドスパンレース法、湿式スパンレース法等によって製造された不織布を挙げることができるが、これらの中でも、特に機械的絡合をスパンレース法によって製造した不織布は、繊維シートが水洗されているため、繊維シートに含まれる不純物が非常に少なく、組成液を含浸させても溶出する不純物が非常に少なく、組成液の安全性も含めて非常に安全性が高く好ましい。特に、湿潤性ワイパーが食品に触れる可能性のある場合や、人体を拭くワイパーである場合に好ましく用いることができる。
【００２８】
さらに、湿潤性ワイパーで使用される繊維シートが平均繊維径１０μｍ以下の繊維を１質量％以上含む不織布を用いることによって、食品等からなる組成液の洗浄性能を低く押さえ安全性を高めても、清浄対象表面への接点数を多くでき、密着性が高いことから、湿潤性ワイパーの清浄性は高くまた拭き残りも少ない点から好ましい。
この様な平均繊維径１０μｍ以下の繊維を含む不織布としては、メルトブローン法による不織布、海島構造で紡糸・延伸した後溶解して製造した繊維を用いる不織布、スパンレース法で分割する方法で製造する不織布等を挙げることができる。これらの中でも特に、スパンレース法で分割する方法で製造する不織布が非常に安全性が高く好ましい。平均繊維径１０μｍ以下の繊維は１質量％以上含む必要があるが、さらには１０質量％以上含む繊維シートが好ましい。
【００２９】
本発明の組成液には、本発明の奏する効果が損なわれない範囲で、必要に応じてさらに、有機溶剤や界面活性剤といった清浄剤、あるいはワックスやシリコーンといった艶出し剤、及び殺菌剤、防カビ剤、酸化防止剤、防錆剤、ｐＨ調整剤、香料等の添加剤を配合してもよい。この場合の添加剤も食品及び／又は食品添加物及び／又は口腔化粧品材料の中から可能な限り選択されることが望ましい。
このような添加剤として、清浄剤としては、例えば、エチレングリコールモノプロピルエーテル、エチレングリコールモノブチルエーテル、エチレングリコールモノベンジルエーテル、プロピレングリコールモノブチルエーテル、ジエチレングリコールモノブチルエーテル、プロピレングリコールモノブチルエーテル、ジプロピレングリコールモノメチルエーテル、ジエチレングリコールジブチルエーテル、ジプロピレングリコールジメチルエーテル等のグリコールエーテル類、モノエタノールアミン、ジエタノールアミン、トリエタノールアミン等のアルカノールアミン類、イミダゾール、ピリジン誘導体、更にはパラフィン系炭化水素、ナフテン系炭化水素、オレフィン系炭化水素、芳香族炭化水素等の石油系有機溶剤類、大豆油などの脂肪酸トリグリセリド類等の有機溶剤の単独または２種類以上の混合物が用いられ、また、例えば、ポリオキシエチレン脂肪酸エステル、ポリオキシエチレンアルキルフェノールエーテル、アルキルジメチルアミンオキシドなどのノニオン界面活性剤、例えば、アルキルベンゼンスルホン酸塩、脂肪酸塩などのアニオン界面活性剤、例えば、塩化長鎖アルキルトリメチルアンモニウムなどのカチオン界面活性剤、アルキルベタインなどの両性界面活性剤といった界面活性剤の単独または２種以上の混合物を用いることができる。また、有機溶剤と界面活性剤を併用することも出来る。これら清浄剤は水溶液としてまたは水でエマルジョン化して用いることができる。
【００３０】
また、艶出し剤としては、シリコーンオイル、フッ化変性シリコーンオイル、アミノ変性シリコーンオイル、エポキシ変性シリコーンオイル、アルコール変性シリコーンオイル等のポリオルガノシロキサン、溶剤可溶性シリコーン樹脂のようなシリコーン系艶出し剤、カルナバワックス、キャンデリラワックス、モンタンワックス、パラフィンワックス等のワックス系艶出し剤が挙げられる。これら艶出し剤は単独または２種以上の混合物としてエマルジョン化して用いることができる。
【００３１】
殺菌剤、防カビ剤の種類は、湿潤性ワイパーの使用目的、湿潤性ワイパーの基布や薬剤といった構成条件にもよるが、一般的には、少量の添加量でも大きな殺菌効果や防カビ効果の得られる殺菌剤、防カビ剤を単独または２種以上併用して用いることができる。
これら殺菌剤の具体例としては、例えば、メチルイソチアゾリノン、クロロメチルイソチアゾリノン、ベンズイソチアゾリノン等のイソチアゾリノン系、ブロムニトロプロパンジオール、ｏ−フェニルフェノール、ｐ−クロロメタクレゾール、あるいはイソプロピルメチルフェノール等のフェノール系、臭化アルキルイソキノリニウム等の臭化４級アンモニウム塩系、感光素１０１号等の感光素系等、その他銀イオンを無機物に担持させた銀イオン・無機質系などを挙げることができるが、これらに限定されるものではない。
【００３２】
また、防カビ剤の具体例としては、イソプロパノール、１，２−ベンズイソチアゾリン−３−オン、５−クロロ−２−メチル−４−イソチアゾリン−３−オン、２−メチル−４−イソチアゾリン−３−オン、硝酸マグネシウム、塩化マグネシウム等を挙げることができる。
単独の殺菌剤、防カビ剤の少量添加において充分な殺菌効果や防カビ効果の得られない場合は、充分な効果が得られるよう、複数の殺菌剤、防カビ剤を組み合わせて用いることもできる。
【００３３】
本発明の湿潤性ワイパーは、例えば、組成液を湿潤液として繊維シートに含浸させることにより製造することができる。湿潤性ワイパー中の組成液の量が繊維シート質量に対して少なすぎると清浄効果を発揮しにくく、また、組成液の量が多すぎると拭き残りの原因となりやすいので、組成液の総量は、繊維シート質量１００質量部に対して５０〜４００質量部含浸させることが好ましく、８０〜３００質量部含浸させることが特に好ましい。
繊維シートの目付量は薄すぎても厚すぎても使用しにくいため１０〜１２０ｇ／ｍ２　で使用することが好ましく、更には１５〜８０ｇ／ｍ２で使用することが好ましい。
【００３４】
また、本発明の湿潤性ワイパー用組成液は、以上で述べたように湿潤液として繊維シートに含浸させることによって湿潤性ワイパーとして用いる他に、乾燥した繊維シートとの組み合わせで販売されても良いし、購入した使用者が繊維シートに湿潤性ワイパー用組成液を含浸させて使用しても良い。また、拭き取りを行なう場所に湿潤性ワイパー用組成液をスプレーなどを用いて拭きつけ、繊維シートで拭き取っても良い。しかし、繊維シートに含浸させる組成液の含浸量には、洗浄性や拭き残りの点から適正値があり、この適性値に湿潤性ワイパー用組成液が予め含浸された湿潤性ワイパーがより好ましい。
【００３５】
また、本発明の組成液に用いられる水は、河川水、湖沼水、雨水、海水、海洋深層水、井戸水、水道水、イオン交換水、蒸留水、超純水など何れでもよいが、好ましくは殺菌又は除菌された水であり、殺菌又は除菌された水は、通常殺菌又は除菌された水を製造するのに用いられる方法によって製造することができる。組成液に含有される水を殺菌するのに用いられる塩素剤としては、例えば、液化塩素、塩素ガス、サラシ粉、二酸化塩素、クロラミン、次亜塩素酸塩などを挙げることができ、その他殺菌については、オゾンなどの殺菌剤を用いる方法、紫外線や放射線などの電磁波や粒子線の照射エネルギーによる方法、煮沸などの加熱による方法があり、除菌については、例えば、天然及び／又は合成樹脂のフィルターによる方法、イオン交換樹脂などの荷電を有する吸着剤や多孔質吸着剤などの吸着剤を用いる方法、蒸留による方法などがある。
【００３６】
中でも、効果の高さと持続性の観点から殺菌剤を用いる方法、フィルターによって除菌する方法、蒸留によって除菌する方法が好ましく、殺菌剤を用いる場合には、次亜塩素酸塩及び／又はその塩などの塩素系殺菌剤を用いることがさらに好ましい。
また、本発明においては、これらの殺菌及び除菌方法を必要に応じ適宜組合せて用いてもよい。
【００３７】
本発明の組成液に用いられる水の使用量は、組成液全体に対して６６質量％以上であることが好ましい。水の使用量が６６質量％以上であれば、ベタツキ感が少なく、手肌にも優しい湿潤性ワイパーが得られる。水の使用量はさらには８０質量％以上であることが好ましく、９０質量％以上であることがより好ましい。
さらに、本発明の湿潤性ワイパー用組成液は、引火点を持たないことが好ましい。ここでいう引火点を持たないということは、ＪＩＳ　Ｋ　２２６５等の一般的な引火点評価試験により、組成液に引火点なしと認められることを意味する。引火点のない湿潤性ワイパー用組成液は、必然的に水が主体の組成液となるため、溶剤臭が少なく、手肌に優しい湿潤性ワイパーが得られる。組成液の引火点がある場合では、それを含浸させた湿潤性ワイパーの引火点も出現する可能性が高く、湿潤性ワイパー自体が引火性固体として法的な制約を受けるばかりか、実際に引火性があるため安全性に問題がある。
【００３８】
また、本発明の湿潤性ワイパー用組成液は、ｐＨ４〜１０であることが好ましい。湿潤性ワイパー用組成液のｐＨが４〜１０であれば、手肌に対する刺激が少ない湿潤性ワイパーが得られる。湿潤性ワイパー用組成液のｐＨは、さらには５〜９であることがより好ましい。
本発明の湿潤性ワイパーおよび湿潤性ワイパー用組成液は各種表面の清浄、殺菌、抗菌、帯電防止、防汚等、例えば家具や建物の窓ガラス、車両の窓ガラス、テレビやパソコンの画面、化粧鏡あるいは眼鏡レンズ等のような透明なガラスやプラスチックス表面等の清浄、殺菌、帯電防止等に、また、冷蔵庫、塗装家具、自動車ボディーのような光沢表面の清浄、殺菌、抗菌、帯電防止、防汚等に、また、人体の清浄、殺菌等に好適に用いられる。
【００３９】
以下に、本発明の実施例を詳細に説明する。
実施例、比較例中で行う性能評価試験方法は以下の通りである。
＜汚れ落ち評価方法＞
キッチン汚れを想定して、以下の操作にて評価試験を行った。
ガラスに油性のモデル汚れを付け、均一に延ばし、加熱処理（１２０℃で１時間）後室温に放置したものを被清浄物とする。湿潤ワイパーで汚れを拭き取り、汚れ落ちの程度を目視にて判定する。
評価基準は以下のとおりである。
◎　被清浄物上に人工汚垢が全く残らない。
〇　被清浄物上に人工汚垢がほとんど残らない。
△　被清浄物上に支障ない程度であるが、人工汚垢が僅かに残る。
×　被清浄物上に人工汚垢が残る。
【００４０】
＜拭き残り評価方法＞
汚れ落ち評価で用いた被清浄物を、湿潤ワイパーで拭いたあと、目視にて拭き残りを評価する。
評価基準は以下の通りである。
◎　拭き残りが全く観察されない
○　拭き残りがほとんど観察されない
△　支障がない程度であるが、拭き残り僅かに観察される
×　拭き残りが観察される。
【００４１】
＜防カビ力評価方法＞
試験片を４×４ｃｍに切り取りサブロー寒天培地（商品名、日水製薬）に密着させ胞子（或いは菌懸濁液）懸濁液１ｍｌを滴下しコンラージ棒で広げ培養を行う。培養時間は２５℃で２週間（菌の場合は３７℃で２日）行い判定する。
評価基準は以下の通りである。
◎　試験片に胞子（コロニー）が全く無い
〇　試験片に胞子（コロニー）がほとんど無い
△　試験片の１／３未満が胞子（コロニー）で覆われている
×　試験片の１／３以上が胞子（コロニー）で覆われている
【００４２】
＜引火点測定法＞
ＪＩＳ　Ｋ　２２６５に従い、クリーブランド開放式で引火点の測定を行う。
評価は以下の基準による。
○：引火点なし
×：引火点あり
【００４３】
【実施例１】
ショ糖ラウリン酸エステル（商品名：コスメライクＬ−１６０、食品添加物、第一工業製薬（株）社製）１質量％、パラオキシ安息香酸アルキル混合物水系エマルジョン（商品名：ネオメッキンス、食品添加物、上野製薬（株）社製）２質量％を殺菌及び除菌操作をしていない井戸水９７質量％に混合溶解し、組成液（湿潤液）を作成した。この組成液のｐＨは７．１で、引火点は出現しなかった。次にアクリル極細繊維湿式スパンレース不織布（商品名：シャレリアＣ１０３０、繊維比率：アクリル（公定水分率：２．０％）／ポリエステル（公定水分率：０．４％）＝９０％／１０％、目付３０ｇ／ｍ２　旭化成（株）社製）の１００質量部当たり湿潤液が２００質量部になるように含浸して本発明の湿潤性ワイパーを得た。得られた湿潤性ワイパーを用いて、上記の方法に従い、汚れ落ち、拭き残り、防カビ力を評価した。評価結果を表１に示す。
【００４４】
【実施例２〜７】
実施例１で用いたアクリル極細繊維不織布の代わりに、ウッドパルプ／ポリエステル乾式スパンレース不織布（商品名：ソンタラＫ８６７、繊維比率：ウッドパルプ／ポリエステル＝５５％／４５％、目付７８ｇ／ｍ２　デュポン（株）社製）（実施例２）、レーヨン系スパンボンドスパンレース不織布（商品名：ベンリーゼＪＥ５００、繊維比率：レーヨン（公定水分率：１１％、水膨潤度：９０％）＝１００％、目付５０ｇ／ｍ２、旭化成（株）社製）（実施例３）、コットン系乾式スパンレース不織布（商品名：エスコットファインＣＯ４０Ｎ／Ａ０２、繊維比率：綿（公定水分率：８．５％、水膨潤度：５０％）＝１００％、目付４０ｇ／ｍ２、ユニチカ（株）社製）（実施例４）、レーヨン系乾式スパンレース不織布（商品名：ピロスＰＸＤ７０５０Ｍ、繊維比率：レーヨン／ポリエステル＝７０％／３０％、目付５０ｇ／ｍ２、オーミケンシ（株）社製）（実施例５）、アクリル／レーヨン系湿式スパンレース不織布（商品名：シャレリアＣＲ０４０　繊維比率：アクリル／レーヨン＝６５％／３５％、目付３０ｇ／ｍ２　旭化成（株）社製）（実施例６）、ポリエステル不織布（繊維比率：ポリエステル（水膨潤度：３％）＝１００％、バイリーン（株）社製）（実施例７）を用いた以外は実施例１と同様にして湿潤性ワイパーを得た。得られた湿潤性ワイパーを用いて、上記の方法に従い、汚れ落ち、拭き残り、防カビ力を評価した。評価結果を表１に示す。
【００４５】
【実施例８】
ショ糖ラウリン酸エステル５質量％、パラオキシ安息香酸アルキル混合物水系エマルジョン２質量％、メチルポリシロキサン乳化物（商品名：ＫＭ−７２Ｆ、食品添加物、信越シリコン（株）社製）０．０４質量％を殺菌及び除菌操作をしていない井戸水９２．９６質量％に混合溶解し、組成液（湿潤液）を作成した。それ以外は実施例１と同様にして湿潤性ワイパーを得て性能評価試験を行なった。湿潤性ワイパーの評価結果を表１に示す。
【００４６】
【実施例９〜１２】
実施例１のショ糖ラウリン酸エステルの代わりに、モノラウリン酸デカグリセリル（商品名：デカグリン１−Ｌ、食品添加物、日光ケミカルズ（株）社製）（実施例９）、カプリン酸ソルビタン（商品名：ソルゲン１００、食品添加物、第一工業製薬（株）社製）（実施例１０）、ソルビタンモノステアレート（商品名：エマゾールスーパーＬ−１０（Ｆ）、食品添加物、花王（株）社製）（実施例１１）、ラウリルジアミノエチルグリシンナトリウム（商品名：ニッサンアノンＬＧ−Ｒ、口腔化粧品材料、日本油脂（株）社製）（実施例１２）を用いた以外は、全て、実施例１と同様にして湿潤性ワイパーを得て性能評価試験を行なった。湿潤性ワイパーの評価結果を表１に示す。
【００４７】
【実施例１３〜１４】
実施例１のパラオキシ安息香酸アルキル混合物水系エマルジョン２質量％の代わりに、グレープフルーツエキス他（商品名：パワーアンチ、食品添加物、バイオベンチャーバンク（株）社製）１０質量％（実施例１３）、ワサビ中抽出液他（商品名：アモルデンＷＡＳ、食品添加物、大和化学工業（株）社製）１０質量％（実施例１４）を用いた以外は、全て、実施例１と同様にして湿潤性ワイパーを得て性能評価試験を行なった。湿潤性ワイパーの評価結果を表１に示す。
【００４８】
【実施例１５〜１７】
実施例７で用いたパラオキシ安息香酸アルキル混合物水系エマルジョンを用いず、殺菌及び除菌操作をしていない井戸水の代わりに次亜塩素酸ナトリウム殺菌された水道水（実施例１５）、濾過除菌された河川水（実施例１６）、蒸留された海水（実施例１７）を用いて全体を１００質量％とした以外は実施例７と同様にして組成液（湿潤液）を作成した。それ以外は実施例７と同様にして湿潤性ワイパーを得て性能評価試験を行なった。湿潤性ワイパーの評価結果を表１に示す。
【００４９】
【実施例１８】
実施例１で作成した組成液を汚れ落ち評価方法で用いた被清浄物に拭き付け、次にアクリル極細繊維湿式スパンレース不織布で拭き取り、汚れ落ち、拭き残りを評価した。評価結果を表１に示す。
【００５０】
【比較例１】
実施例１で用いたアクリル極細繊維不織布の代わりに羊毛不織布（商品名：プレスフェルト、繊維比率：羊毛（公定水分率：１５％）＝１００％、フジコー（株）社製）を用いた以外は、全て、実施例１と同様にして湿潤性ワイパーを得て性能評価試験を行なった。湿潤性ワイパーの評価結果を表１に示す。
【００５１】
【比較例２】
実施例１で用いた組成液の代わりに変性アルコール（商品名：ソルミックスＡ−７、成分：エタノール／メタノール／ノルマルプロピルアルコール＝８５．５％／４．９％／９．６％、日本化成品（株）社製）７０質量％と殺菌及び除菌操作をしていない井戸水３０質量％の混合液を用いた以外は、実施例１と同様にして湿潤性ワイパーを得て性能評価試験を行なった。湿潤性ワイパーの評価結果を表１に示す。
【００５２】
【比較例３】
比較例１で用いたパラオキシ安息香酸アルキル混合物水系エマルジョンを用いなかった以外は、全て、比較例１と同様にして湿潤性ワイパーを得て性能評価試験を行なった。湿潤性ワイパーの評価結果を表１に示す。
【００５３】
【表１】
2004041677.tif 000002
【００５４】
【発明の効果】
本発明の湿潤性ワイパーにより、ガラス、金属、プラスチックス、塗膜等といった表面や人体表面を安全にかつ簡便に清浄にすることが出来る。